(57)【特許請求の範囲】
【請求項１】
透明基板上に情報を記録するための単層の磁性薄膜を有する光情報記録媒体と、前記光情報記録媒体を収納し、かつ部分的に光情報記録媒体を露出させる開口部を持つカートリッジとからなり、前記カートリッジの開口部の周辺に磁石を備えた光変調オーバライト可能な光磁気ディスクの記録方法であって、
前記光情報記録媒体の磁性薄膜の所定の記録位置に、前記磁石の磁場の向きと同一方向の磁気信号を記録する場合には、前記記録位置が磁界反転可能最低温度T3よりも高い所定の温度T2になるように前記記録位置に高出力レーザを照射し、
前記記録位置に前記磁石の磁場の向きと反対方向の磁気信号を記録する場合には、前記記録位置が磁界反転可能最低温度T3になるように前記記録位置に低出力レーザを照射することを特徴とする光変調オーバライト可能な光磁気ディスクの記録方法。
【請求項２】
前記カートリッジが、前記開口部の周辺に、情報の記録、消去又は読出をする際の補助となるべき磁性を有していることを特徴とする請求項１記載の光磁気ディスクの記録方法。
【請求項３】
前記カートリッジが、磁性体を含む樹脂で形成されていることを特徴とする請求項１記載の光磁気ディスクの記録方法。
【請求項４】
光磁気ディスク自体を所定の温度まで加熱することにより、記録された情報の初期化を行うことを特徴とする請求項１記載の光磁気ディスクの記録方法。
【発明の詳細な説明】
【０００１】
【発明の属する技術分野】
この発明は、光磁気ディスクに関し、特に、光情報記録媒体をカートリッジに収納した光磁気ディスクに関する。
【０００２】
【従来の技術】
従来、光磁気ディスクに情報の記録と情報の消去を同時に行う方法として、（１）磁気ヘッドを用いて磁場変調させて情報の記録を行う磁場変調オーバーライト、（２）図２に示すような多層膜構造の記録媒体を用いて、レーザの出力を高出力と低出力に変調させて情報の記録を行う光変調オーバライトの２つの方法が利用されている。
【０００３】
【発明が解決しようとする課題】
しかし、（１）の磁場変調オーバーライトでは、磁気ヘッドを小さくしなければ、記録密度を高めることができないという問題点がある。
したがって、磁場変調オーバライトは、今日の高密度化の要求に答えるのは非常に困難である。
【０００４】
一方、（２）の光変調オーバーライトでは、記録媒体である光磁気ディスクは、図２に示すように、磁性層膜３を再生層３１、記録層３２、中間層３３、補助層３４という層からなる多層膜構造にしなければならない。図２は、従来の光磁気ディスクの構造の断面図を示している。図２において、１はプリント基板，２は誘電体膜層，３は磁性膜層，４は誘電体膜層，５は反射膜層である。この構造の作製は非常に複雑であり、さらに、それぞれの層での保磁力、磁気異方性、キュリー点などを微妙なバランスで保たなければならないという問題点がある。したがって、従来の光変調オーバライトに用いていた光磁気ディスクは、生産品質の安定化が非常に困難である。
【０００５】
この発明は、以上のような事情を考慮してなされたものであり、磁性膜層を単純な単層構造とし、光変調オーバライトが可能な光磁気ディスクを提供することを課題とする。
【０００６】
【課題を解決するための手段】
この発明は、透明基板上に情報を記録するための単層の磁性薄膜を有する光情報記録媒体と、前記光情報記録媒体を収納し、かつ部分的に光情報記録媒体を露出させる開口部を持つカートリッジとからなり、前記カートリッジが、その一部分又は全体に磁性を有していることを特徴とする光変調オーバライト可能な光磁気ディスクを提供するものである。
ここで、前記カートリッジが、前記開口部の周辺に、情報の記録、消去又は読出をする際の補助となるべき磁性を有してもよい。この開口部とは、レーザ又は磁気コイルを光情報記録媒体に近づける部分であり、いわゆるヘッド挿入窓口に相当する部分である。
また、この発明は、透明基板上に情報を記録するための単層の磁性薄膜を有する光情報記録媒体と、前記光情報記録媒体を収納し、かつ部分的に光情報記録媒体を露出させる開口部を持つカートリッジとからなり、前記カートリッジの開口部の周辺に磁石を備えた光変調オーバライト可能な光磁気ディスクの記録方法であって、
前記光情報記録媒体の磁性薄膜の所定の記録位置に、前記磁石の磁場の向きと同一方向の磁気信号を記録する場合には、前記記録位置が磁界反転可能最低温度T3よりも高い所定の温度T2になるように前記記録位置に高出力レーザを照射し、
前記記録位置に前記磁石の磁場の向きと反対方向の磁気信号を記録する場合には、前記記録位置が磁界反転可能最低温度T3になるように前記記録位置に低出力レーザを照射することを特徴とする光変調オーバライト可能な光磁気ディスクの記録方法を提供するものである。
【０００７】
また、前記カートリッジが磁性を有するためには、カートリッジの内部に磁石を取り付けてもよく、または前記カートリッジを磁性体を含む樹脂で形成してもよい。また、前記光情報記録媒体の磁性薄膜は、単層であってもよい。
この発明において、前記カートリッジの開口部を通して照射されるレーザの出力を高出力または低出力にすることにより磁性薄膜に情報の記録を行えば、光変調オーバライトによる情報の記録が可能である。
また、この発明によれば、光磁気ディスク自体を所定の温度にまで加熱することにより、記録された情報の初期化が容易にできる。
【０００８】
この発明において、磁性薄膜は、ＴｂＦｅＣｏを用いることができる。
カートリッジの内部に取り付けられた磁石による磁場の向きが、この発明の光磁気ディスクが挿入される記憶装置に備えられた磁気コイルによる磁場の向きと反対となるように、磁石をカートリッジに取り付ければよい。
同様に、カートリッジ自体が磁性体を含む場合も、その磁性体による磁場の向きを、磁気コイルによる磁場の向きと反対となるようにすればよい。
【０００９】
【発明の実施の形態】
以下、図面に示す実施の形態に基づいてこの発明を詳述する。なお、これによってこの発明が限定されるものではない。
図１に、この発明の光磁気ディスクのカートリッジの一実施例の外観図を示す。
【００１０】
図１に、この発明の光磁気ディスクのカートリッジ２１の外観図を示す。
図１（ａ）はカートリッジ２１の平面図であり、図１（ｂ）はカートリッジ２１の側面図である。符号２２は磁石取付領域、符号２３は開口部を示す。
カートリッジ２１は、上ぶたと下ぶたの２枚構成の樹脂部材からなり、光情報記録媒体がこのカートリッジ内部に収納される。
磁石は、カートリッジの上ぶた又は下ぶたの内部表面で、開口部の周辺（図１（ａ）においては、符号２２の位置）に取付けられる。磁石取付領域２２は、光情報記録媒体の回転直後に、開口部２３で磁化された光情報記録媒体の記録領域が通過する領域を含めばよい。磁石取付領域２２の大きさは、レーザを照射する記録部分の単位領域の数十倍程度以上あればよく、カートリッジ内部表面の全体にわたってもよい。
磁石は、光情報記録媒体の回転を妨げることのないように、薄板状のものをカートリッジの内部表面に接着するか、あるいは、上ぶた（又は下ぶた）の一部に凹部を設けてその中に勘合するようにしてもよい。
【００１１】
また、磁石を取付ける代わりに、カートリッジ全体、あるいはカートリッジの磁石取付領域２２の付近に磁性を持たせるようにしてもよい。
カートリッジ全体あるいは磁石取付領域２２の付近に磁性を持たせるためには、カートリッジを形成するたとえばポリカーボネート樹脂に一定方向の磁界を有するような磁性体（ＳｍＣｏなど）を一定量含有させればよい。
【００１２】
次に、この発明の光磁気ディスクに収納する光情報記録媒体の構造及び記録方法について説明する。
図３に、この発明の光情報記録媒体の一実施例の断面構造図を示す。
図３に示すように、光情報記録媒体１０は、透明なプリント基板１，誘電体膜層２，磁性膜層３，誘電体膜層４，及び反射膜層５とから構成される。
たとえば、誘電体膜層２，４は、ＳｉＮを用いることができ、磁性膜層３は、ＴｂＦｅＣｏを用いることができ、反射膜層５はＡｌを用いることができる。ただし、これに限るものではない。
ここでこの発明の図３に示した実施例は、磁性膜層３が単層であることを特徴とする。
【００１３】
磁性膜層３には、外部の磁気コイルから与えられる磁界により、信号が記録される。
一般に、磁気コイルによって与えられる磁界は、プリント基板１に対して垂直な方向（紙面の上下方向）で、常に一定の方向にかけられている。図３では、この磁気コイルによる磁場の方向を紙面の上から下方向に向かう向き１３とする。また、磁気コイルは、図示していないが、光磁気ディスクを挿入して情報の書込み及び読み出しを行うための記録装置に備えられている。
【００１４】
図３の符号６はカートリッジの一部分を示し、紙面の上方へ向かう矢印１４はカートリッジに備えられた磁石の磁場の方向とする。すなわち、磁気コイルによる磁場の向き１３と、磁石による磁場の向き１４とは反対である。
【００１５】
光変調オーバーライトでは、この磁場の状態で、照射するレーザの出力を変化することによって２種類の異なる信号を記録する。
ここで、磁性膜層３に記録される信号を、磁気コイルによる磁場の向き１３と反対方向の「↑」と、磁場と同じ方向の「↓」とで表すことにする。
【００１６】
まず「↑」信号を記録する場合の記録方法について説明する。
この場合、高出力のレーザを光情報記録媒体に照射する。
【００１７】
図４に、光磁気ディスクにレーザを照射した場合の光磁気ディスクの断面の概略図を示す。
図４の符号１１で示す領域をこれから信号を記録する磁性膜層３内の記録部とする。高出力のレーザ１５は、この記録部１１に向かって照射される。
高出力レーザ１５が照射された記録部１１の温度は、比較的高温のＴ１（たとえば、約２７０℃）に到達すると、まず磁気コイルによる磁場方向１３と同じ方向（「↓」方向）に信号１２が記憶される。
【００１８】
しかし、記録部１１へのレーザ照射が終了し、光情報記録媒体１０が回転して記録部１１が照射位置から離れた直後から、記録部１１の位置の温度は下降しはじめ、一定温度Ｔ２（たとえば、約２４０℃）となる。
このとき、温度Ｔ２は、磁性膜層３の磁界反転可能最低温度Ｔ３（約２００℃）よりも十分高いので、一旦記録された信号１２は、カートリッジの磁石による磁場１４と同じ方向である「↑」方向に変換され、結局「↑」信号１２’として記録される（図５参照）。
【００１９】
図５は、光情報記録媒体１０が回転し、記録部１１の位置が温度Ｔ２に達した場合の断面図を示している。
図４，図５と上記の説明により、高出力レーザの照射がされた記録部１１には、カートリッジに備えられた磁石による磁場と同じ方向の「↑」信号が記録される。
【００２０】
図７に、磁性膜層３の保磁力と温度との関係グラフを示す。
図７に示すように、一般に、磁性膜層３は、加熱すればするほど、その保磁力が低下する。
図７において、保持力Ｈ１は、磁気コイルによる磁場の保持力を示し、保持力Ｈ２は、この発明のカートリッジに備えられた磁石あるいはカートリッジそのものが有する磁場の保持力を示している。
【００２１】
また、Ｔ１は、前記したように、高出力のレーザによって磁性膜層３の記録部１１が加熱される温度であり、Ｔ２は、図５のように、高出力のレーザ照射後、光情報記録媒体１０が回転したときの前記記録部１１の温度である。
Ｔ３は、磁性膜層３の磁場が、カートリッジの有する磁場によって反転するために必要な最低温度（磁界反転可能最低温度）である。
この図７よりわかるように、温度Ｔ２を、磁性膜層３の保持力が保磁力Ｈ２よりも低くなる温度に選べば、磁性膜層３の記録部１１には、カートリッジが有する磁場の向きと同じ方向の信号として記録される。
【００２２】
次に、「↓」信号を記録する場合の記録方法について説明する。
この場合、低出力のレーザを光情報記録媒体に照射する。
ここで、低出力のレーザとは、照射によって記録部１１の温度をＴ３にまで上昇させることのできる出力を持つレーザとする。温度Ｔ３は、前記した磁界反転可能最低温度である。
低出力のレーザが、図４に示すように記録部１１に照射されると、記録部１１の温度はＴ３（たとえば、約２００℃）に上昇し、まず、磁気コイルによる磁場１３によって、「↓」方向の信号１２が記録される。
【００２３】
次に、記録部１１へのレーザ照射が終了し、光情報記録媒体１０が回転して記録部１１が照射位置から離れると、その直後から記録部１１の温度は下降しはじめ、一定温度Ｔ４（たとえば１７０℃）となる。
このとき温度Ｔ４は、温度Ｔ３よりも十分低いので、カートリッジの磁石による磁場１４による影響は受けないで、さきほど磁気コイルによって記録されたままの「↓」信号１２として記録される（図６参照）。
【００２４】
図６は、図４の状態から光情報記録媒体１０が回転し、記録部１１の位置が温度Ｔ４に達した場合の断面図を示している。
このように、低出力のレーザの照射がされた記憶部１１には、磁気コイルによる磁場と同じ方向の「↓」信号が記録される。
【００２５】
以上、この発明の光情報記録媒体に信号を記録する方法について説明したが、従来から用いられている光変調オーバライトと異なり、単層である磁性膜に、「↑」信号又は「↓」信号を記録する点が特徴である。
この発明の光磁気ディスクに収納される光情報記録媒体の磁性膜層は、単層であるがゆえに、図２のように多層膜構造とした場合に比べて構造が単純なため、製造が容易であると共に、磁気特性の均一化が容易である。
【００２６】
また、図２のように磁性膜層が多層膜構造の場合、各層間の磁気特性の相互関係を考慮して設計・製造する必要があったが、図３におけるこの発明の構成では、単層である磁性膜層３の磁気特性とカートリッジに備えられた磁石の磁気特性との相互関係を考慮すればよく、この観点でも設計・製造が容易である。
したがって、この発明の光情報記録媒体は、構造が単純で磁気特性の均一化ができるので、品質の安定化と大量生産が可能であり、コストダウンも可能である。
【００２７】
また、カートリッジに磁性体を含有させてカートリッジ全体が一定方向の磁場を有するとき、光磁気ディスク全体を一定の温度以上にまで加熱すれば、光磁気ディスクの初期化が容易にできる。
すなわち、光情報記録媒体の磁性膜層の保持力が、カートリッジの持つ磁場の保持力Ｈ２よりも小さくなる温度（図７の温度Ｔ5）以上にまで光磁気ディスクを加熱すれば、磁性膜層の持つ磁場の向きを一定方向に揃えること（すなわち初期化）が可能である。
【００２８】
図８に、以上のようなこの発明の記録方法によって記録した信号を再生した場合の再生信号強度の周波数特性のグラフを示す。
ここでは、１０．０ＭＨｚの周波数による光変調オーバライトにより記録した信号の再生信号を示している。
図８によれば、１０ＭＨｚ付近で、明らかにノイズ成分と異なるピークが見られる。したがって、この発明の光磁気ディスクを用い、前記したような光変調オーバライトを行えば、安定した品質、性能を持つ情報の記録再生が可能である。
【００２９】
【発明の効果】
この発明によれば、光磁気ディスクを構成するカートリッジが磁性を有しているので、光変調オーバライトによる信号の記録が可能である。
また、情報を記録する磁性薄膜を単層で形成するので、光情報記録媒体の製造が容易であり、品質の安定化と大量生産が可能である。
さらに、光磁気ディスクのカートリッジに磁性体を含有させているので、光磁気ディスクの初期化が容易にできる。
【図面の簡単な説明】
【図１】この発明の光磁気ディスクのカートリッジの外観図である。
【図２】従来用いられる光磁気ディスクの構造の断面図である。
【図３】この発明の光磁気ディスクの構造の断面の概略図である。
【図４】この発明において、レーザを照射した場合の光磁気ディスクの断面の概略図である。
【図５】図４の状態から、記録部の位置が温度Ｔ２に達した場合の断面の概略図である。
【図６】図４の状態から、記録部の位置が温度Ｔ４に達した場合の断面の概略図である。
【図７】この発明の磁性膜層の保持力と温度との関係グラフである。
【図８】この発明において、再生信号の周波数特性のグラフである。
【符号の説明】
１  プリント基板
２  誘電体膜層
３  磁性膜層
４  誘電体膜層
５  反射膜層
６  カートリッジ
１０  光情報記録媒体
１１  記録部
１２  記録信号
１２’記録信号
１３  磁気コイルによる磁場の方向
１４  カートリッジに備えられた磁石による磁場の方向
１５  レーザ光
【図１】
0003539871.tif 000002
【図２】
0003539871.tif 000003
【図３】
0003539871.tif 000004
【図４】
0003539871.tif 000005
【図５】
0003539871.tif 000006
【図６】
0003539871.tif 000007
【図７】
0003539871.tif 000008
【図８】
0003539871.tif 000009